【事件の表示】
　特許第３２６７５５３号「可変表示装置付遊技機」の請求項１ないし５に係る特許に対する特許異議の申立てについて、次のとおり決定する。
【結　論】
　
　訂正を認める。
　特許第３２６７５５３号の請求項１ないし３に係る特許を取り消す。
【理　由】
　
１．手続の経緯
　
　本件特許第３２６７５５３号の請求項１乃至請求項５に係る発明についての出願は、平成３年５月２９日に出願された特願平３−１５５６４９号の一部を平成１０年５月２９日に新たな特許出願としたものであって、平成１４年１月１１日にその発明について特許の設定登録がされ、その後、特許異議の申立がなされ、取消理由通知がなされ、その指定期間内である平成１５年１月２１日に訂正請求がなされたものである。
　
２．訂正の適否
　
（１） 訂正事項
　上記訂正請求の要旨は、特許第３２６７５５３号の特許明細書を特許請求の範囲の減縮及び明りょうでない記載の釈明を目的として、訂正請求書に添付した訂正明細書のとおり、すなわち、次の訂正事項ａ乃至訂正事項ｅのとおり訂正することを求めるものである。
　
（訂正事項ａ）
　特許明細書における特許請求の範囲の記載を、特許請求の範囲の減縮を目的として、
「【特許請求の範囲】
【請求項１】　変動中の図柄列の一度の停止により可変表示装置の表示結果を得ることができる遊技機において、
　該遊技機には、前記可変表示装置の変動表示に関する情報を報知する報知手段を設け、
　前記図柄列の停止時に表示される図柄が表示結果として確定される以前の回転速度の遅い状態での変動表示中の段階で、前記可変表示装置に当り図柄が当りライン上に表示されているときと、当り図柄が当りライン上に表示されていないときとで前記報知手段の報知態様を異ならせたことを特徴とする可変表示装置付遊技機。
【請求項２】前記報知手段は、光を発する発光手段、又は効果音を発生する音声発生手段のいずれか一方、又は両方であることを特徴とする請求項１記載の可変表示装置付遊技機。
【請求項３】前記光を発する発光手段は、前記図柄列の後面を照射する発光体であることを特徴とする請求項２記載の可変表示装置付遊技機。」
　と訂正する。
　
（訂正事項ｂ）
　特許明細書第【０００１】段落の記載を、明りようでない記載の釈明を目的として、
「【０００１】
【発明の属する技術分野】
　本発明は、変動中の図柄列の一度の停止により可変表示装置の表示結果を得ることができる遊技機に関するものである。」
　と訂正する。
　
（訂正事項ｃ）
　特許明細書第【０００４】段落の記載を、明りようでない記載の釈明を目的として、
「【０００４】
【課題を解決するための手段】
　上記した目的を達成するために、本発明においては、
　変動中の図柄列の一度の停止により可変表示装置の表示結果を得ることができる遊技機において、
　該遊技機には、前記可変表示装置の変動表示に関する情報を報知する報知手段を設け、
　前記図柄列の停止時に表示される図柄が表示結果として確定される以前の回転速度の遅い状態での変動表示中の段階で、前記可変表示装置に当り図柄が当りライン上に表示されているときと、当り図柄が当りライン上に表示されていないときとで前記報知手段の報知態様を異ならせたことを特徴とするものである。
　前記報知手段として、例えば、光を発する発光手段、又は効果音を発生する音声発生手段のいずれか一方、又は両方を設ければ良い。」
　と訂正する。
　
（訂正事項ｄ）
　特許明細書の第【０００５】段落の記載を、明りようでない記載の釈明を目的として、
「【０００５】
　図柄列の停止時に表示される図柄が表示結果として確定される以前の回転速度の遅い状態での変動表示中の段階で、可変表示装置に当り図柄が当りライン上に表示されているときと、当り図柄が当りライン上に表示されていないときとで報知手段の報知態様を異ならせて遊技者に報知される。報知手段が発光手段であるときには、当り図柄が当りライン上に表示されていときと当り図柄が当りライン上に表示されていないときとで光の発光態様が異なり、また、報知手段が音声発生手段であるときには、当り図柄が当りライン上に表示されているときと当り図柄が当りライン上に表示されていないときとで異なる効果音が発生される。つまり、本発明においては、リーチ状態時等の図柄が表示結果として確定されていない状態における変動表示において、従来にない新鮮味を出現させると共に、報知手段による当り図柄の報知により変動表示に対して抑揚感を付与することができる。」
　と訂正する。
　
（訂正事項ｅ）
　特許明細書の第【００３５】段落の記載を、明りようでない記載の釈明を目的として、
「【００３５】
【発明の効果】
　以上、説明したところから明らかなように、本発明においては、図柄列の停止時に表示される図柄が表示結果として確定される以前の回転速度の遅い状態での変動表示中の段階で、可変表示装置に当り図柄が当りライン上に表示されているときと、当り図柄が当りライン上に表示されていないときとで報知手段の報知態様を異ならせて遊技者に報知されるので、変動表示において従来にない新鮮味を出現させると共に、変動表示に対して抑揚感を付与することができる。」
　と訂正する。
　
（２） 訂正の目的の適否、新規事項の有無及び拡張・変更の存否
　
　上記の各訂正は、特許請求の範囲の減縮あるいは明りようでない記載の釈明を目的とし、新規事項の追加に該当せず、また、実質上特許請求の範囲を拡張し、又は変更するものではない。
　
（３） むすび
　
　以上のとおりであるから、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
　
３．取消理由についての判断
　
（１） 訂正明細書の請求項に係る発明
　
　訂正明細書の請求項１乃至３に係る発明（以下、本件訂正後発明１乃至３という）は、その特許請求の範囲に記載された次の事項により特定されるとおりのものである。
　
「変動中の図柄列の一度の停止により可変表示装置の表示結果を得ることができる遊技機において、該遊技機には、前記可変表示装置の変動表示に関する情報を報知する報知手段を設け、前記図柄列の停止時に表示される図柄が表示結果として確定される以前の回転速度の遅い状態での変動表示中の段階で、前記可変表示装置に当り図柄が当りライン上に表示されているときと、当り図柄が当りライン上に表示されていないときとで前記報知手段の報知態様を異ならせたことを特徴とする可変表示装置付遊技機。」（本件訂正後発明１）
　
「前記報知手段は、光を発する発光手段、又は効果音を発生する音声発生手段のいずれか一方、又は両方であることを特徴とする請求項１記載の可変表示装置付遊技機。」（本件訂正後発明２）
　
「前記光を発する発光手段は、前記図柄列の後面を照射する発光体であることを特徴とする請求項２記載の可変表示装置付遊技機。」（本件訂正後発明３）
　
（２）引用刊行物
　
　当審が通知した取消理由通知に引用した、本願の出願の日前である昭和５９年１０月２３日に頒布された特開昭５９−１８６５８１号公報（以下、引用刊行物という）には、図面とともに以下の事項が記載されている。
　
「何種かのシンボルマークが周縁部に配列された例えば３個のリールを高速回転させ、これらが停止された時点で所定の窓位置に現れた各リールがいかなる組み合わせになっているかで入賞が決定される」（第１頁右下欄第１６−２０行）
「すでに停止されているリールが入賞を実現するために必要とされているシンボルマークを呈しているかを判別する判別手段と、・・・入賞を構成するシンボルマークが所定位置にもたらされたことにより点灯表示あるいは発音表示動作する表示手段とを設ける」（第２頁右上欄第３−１１行）
「タイミング表示は発音によるものでも、両者兼用のものでもよい。」（第２頁右下欄第１１−１２行）
「このタイミング表示ランプの点灯は・・・すでに停止された２つのリールが入賞の組み合わせのシンボルマークを呈している時に、回転している３個目のリールに対してなされてもよい。いずれにせよ、３個目のリールに対してタイミング表示を行なう際にはすでに停止しているリールがしかるべき入賞のシンボルマークの組み合わせになっていることが条件となる」（第３頁右下欄第１４行−第４頁左上欄第３行）
「第８図もやはりＲＯＭ上にメモリされている入賞シンボルテーブルであり、シンボルナンバー（シンボルマーク）の組み合わせのうち入賞に該当する組み合わせおよびその支払メダル枚数が決められている。」（第４頁左下欄第１５−１９行）
「第１０図の例は第１、第２リールがそれぞれコードＮｏ．１２，５でストップされた状態で、・・・第３リールがコードＮｏ．５でストップすると入賞ライン１には大ヒット・・・が発生する」（第５頁左下欄第６−１３行）
「第３リールのコードＮｏ．５がリール窓のライン１の位置を通過するタイミング・・・に応じて第２図のタイミング表示ランプ８５ｃを点灯させれば、大ヒットの得られるタイミングを遊技者に報知できることになる。」（第５頁右下欄第９−１４行）
　
　以上の記載によれば、引用刊行物には、
　
「何種かのシンボルマークが周縁部に配列された３つのリールを備え、これらが停止された時点で各リールがいかなる組み合わせになっているかで入賞が決定されるスロットマシンにおいて、入賞を構成するシンボルマークが所定位置にもたらされたことにより点灯表示あるいは発音表示動作する表示手段を設け、すでに停止された２つのリールが入賞ライン上で入賞の組み合わせのシンボルマークを呈し、且つ、最後のリールが回転している時に、回転している最後のリールにおいて入賞に該当する組み合わせの得られるシンボルマークが入賞ラインの位置を通過するタイミングに応じて前記表示手段を動作させて、大ヒットの得られるタイミングを遊技者に報知するよう構成し、且つ、前記表示手段は点灯表示又は発音表示動作又は両者を兼用したものであるスロットマシン」
　との発明（以下「引用発明」という。）が開示されていると認めることができる。
　
（３）本件訂正後発明と引用発明との対比、検討
　
（３−１）本件訂正後発明１について
　
　本件訂正後発明１と引用発明とを比較すると、
　
　引用発明の「スロットマシン」、「何種かのシンボルマークが周縁部に配列されたリール」は、本件訂正後発明１の「可変表示装置付遊技機」、「図柄列」にそれぞれ相当するから、引用発明の「何種かのシンボルマークが周縁部に配列された３つのリールを備え、これらが停止された時点で各リールがいかなる組み合わせになっているかで入賞が決定されるスロットマシン」は、本件訂正後発明１の「変動中の図柄列の停止により可変表示装置の表示結果を得ることができる遊技機」に相当する。
　また、引用発明の「入賞を構成するシンボルマークが所定位置にもたらされたことにより点灯表示あるいは発音表示動作する表示手段」は、本件訂正後発明１の「可変表示装置の変動表示に関する情報を報知する報知手段」に相当する。
　さらに、引用発明の「すでに停止された２つのリールが入賞ライン上で入賞の組み合わせのシンボルマークを呈し、且つ、最後のリールが回転している時」は、本件訂正後発明１の「図柄列の停止時に表示される図柄が表示結果として確定される以前の変動表示中の段階」に相当し、引用発明の「回転している最後のリールにおいて入賞に該当する組み合わせの得られるシンボルマークが入賞ラインの位置を通過するタイミングに応じて前記表示手段を動作させ」ることは、本件訂正後発明１の「前記可変表示装置に当り図柄が当りライン上に表示されているときと、当り図柄が当りライン上に表示されていないときとで前記報知手段の報知態様を異ならせ」に相当する。
　
　してみると、本件訂正後発明１と引用発明とは、
「変動中の図柄列の停止により可変表示装置の表示結果を得ることができる遊技機において、該遊技機には、前記可変表示装置の変動表示に関する情報を報知する報知手段を設け、前記図柄列の停止時に表示される図柄が表示結果として確定される以前の変動表示中の段階で、前記可変表示装置に当り図柄が当りライン上に表示されているときと、当り図柄が当りライン上に表示されていないときとで前記報知手段の報知態様を異ならせたことを特徴とする可変表示装置付遊技機」
　の点で一致し、次の点において相違する。
　
（相違点１）
　可変表示装置の表示結果が、本件訂正後発明１では、変動中の図柄列の「一度」の停止によって得られるのに対し、引用発明では、一度の停止によって得られるとの明示の記載がない点。
　
（相違点２）
　報知手段の報知態様を異ならせるのを、本件訂正後発明１では「回転速度の遅い状態」において行っているのに対し、引用発明ではこのような特定はしていない点。
　
　上記各相違点について検討する。
　
（相違点１について）
　可変表示装置付遊技機を取り扱う技術分野において、「図柄列の一度の停止により可変表示装置の表示結果を得る」という記載は、図柄列の全体が視認可能な状態で一度停止することにより（再変動等は行われずに）可変表示装置の表示結果が得られることを意味するものであり、「１つの図柄列だけで変動表示する」場合に限らず、図柄列が複数ある場合を含むものである。また、同じ請求項１に「回転速度の遅い状態での変動表示中の段階で」という記載があり、これは「リーチ状態」が発生する可変表示装置、すなわち、複数の図柄列を有し且つこれらが順次停止する可変表示装置を前提としているから（本件明細書第【００３０】段落）、当該記載との関連においてもやはり、上記「図柄列の一度の停止により可変表示装置の表示結果を得る」という記載を上記の意味で解することは、請求項の記載が全体として整合し適当なものである（「１つの図柄列だけで変動表示する」ものと解すると「リーチ状態」が想定できず整合しない）。
　そうすると、図柄列の一度の停止により表示結果を得る可変表示装置としては、複数の図柄列が順次停止し図柄列の全体が視認可能な状態に一度停止することにより表示結果が得られる可変表示装置が例示するまでもなく周知であるから、引用発明の可変表示装置をこのようなものとすることは単なる設計的事項である。
　なお、特許異議申立人篠原敏明が提出した、本願の出願の日前である昭和５８年１０月１８日に頒布された刊行物である特開昭５８−１７７６７９号公報の第２頁左上欄第７−１０行の記載（「１個の回転体が移動するものでは、その回転体の入賞絵柄がきたときに表示すればよく、本発明はいずれの場合に対しても適用することができる」）を参酌すると、「１つの図柄列だけで変動表示する」可変表示装置付遊技機の場合に、同刊行物あるいは引用刊行物に記載された報知手段に関する技術を転用することは当業者が適宜に為し得たことにすぎない。
　
（相違点２について）
　リーチ状態において、最後の図柄列を通常よりも回転速度の遅い状態で変動させることは周知の技術にすぎないから（特開平３−５５０８１号公報第１１頁左下欄第２０行−右下欄第２行など、特開平２−２７７４８２号公報第１４頁左上欄第２−６行など参照）、引用発明に当該周知技術を適用して本件訂正後発明１乃至２の如く構成することは、当業者が容易に為し得たことである。
　
　そして、本件訂正後発明１の効果は、上記引用発明及び周知技術から当業者が予測できる範囲のものである。
　してみると、本件訂正後発明１は、上記引用発明及び周知技術に基づいて当業者が容易に発明をすることができたものである。
　
（３−２）本件訂正後発明２について
　
　本件訂正後発明２は、本件訂正後発明１において「報知手段は、光を発する発光手段、又は効果音を発生する音声発生手段のいずれか一方、又は両方である」としたものである。
　本件訂正後発明１については、上記（３−１）で検討したとおりである。
　一方、引用発明にも「報知手段は、光を発する発光手段、又は効果音を発生する音声発生手段のいずれか一方、又は両方である」点が記載されている。
　そして、本件訂正後発明２の効果は、上記引用発明及び周知技術から当業者が予測できる範囲のものである。
　してみると、本件訂正後発明２は、上記引用発明及び周知技術に基づいて当業者が容易に発明をすることができたものである。
　
（３−３）本件訂正後発明３について
　
　本件訂正後発明３は、本件訂正後発明２において「光を発する発光手段は、前記図柄列の後面を照射する発光体である」としたものである。
　本件訂正後発明３と引用発明とを比較すると、上記相違点１、相違点２のほか、次の点において相違する。
　
（相違点３）
　光を発する発光手段として、本件訂正後発明３では、図柄列の後面を照射する発光体を用いているのに対し、引用発明ではそのような発光体を用いていない点。
　
　そこで、本件訂正後発明３と引用発明との上記相違点について検討すると、相違点１及び相違点２については、上記（３−１）で検討したとおりである。
　相違点３について以下検討する。
　
　可変表示装置付遊技機において「図柄列の後面を照射する発光体」を設けることは周知の技術であり（当審が通知した取消理由通知に引用した、実願昭６０−１１８１８８号（実開昭６２−２７６８９号）のマイクロフィルム、実願昭６０−３６５９５号（実開昭６１−１５１７８３号）のマイクロフィルム）、当該周知の発光体を、変動表示に関する情報を報知する報知手段として利用することは当業者であれば容易に為し得たことである。
　
　そして、本件訂正後発明３の効果は、上記引用発明及び周知技術から当業者が予測できる範囲のものである。
　してみると、本件訂正後発明３は、上記引用発明及び周知技術に基づいて当業者が容易に発明をすることができたものである。
　
（４） むすび
　
　以上のとおり、本件訂正後発明１乃至３は、上記引用発明及び周知技術に基づいて当業者が容易に発明をすることができたものであるから、特許法第２９条第２項の規定により特許を受けることができない。
　したがって、本件訂正後発明１乃至３についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月４日（２００３．３．４）
【訂正の要旨】
　▲１▼　訂正事項ａ
　特許明細書における特許請求の範囲に係る記載
「【特許請求の範囲】
　【請求項１】　図柄列を変動表示可能な可変表示装置を備えた遊技機において、
　該遊技機には、前記可変表示装置の変動表示に関する情報を報知する報知手段を設け、
　前記図柄列の停止時に表示される図柄が表示結果として確定される以前の変動表示中の段階で、前記可変表示装置に当り図柄が当りライン上に表示されているときと、当り図柄が当りライン上に表示されていないときとで前記報知手段の報知態様を異ならせたことを特徴とする可変表示装置付遊技機。
　【請求項２】　前記可変表示装置は、前記図柄列を複数有し、その複数の図柄列に表示される図柄の組合せが予め定めた組合せとなったときに、当り図柄としたことを特徴とする請求項１記載の可変表示装置付遊技機。
　【請求項３】　前記図柄が表示結果として確定される以前の変動表示中の段階とは、前記複数の図柄列のうち最後に停止される最終図柄列以外の図柄が確定され最終図柄列の図柄が確定されていない段階であることを特徴とする請求項２記載の可変表示装置付遊技機。
　【請求項４】　前記報知手段は、光を発する発光手段、又は効果音を発生する音声発生手段のいずれか一方、又は両方であることを特徴とする請求項１乃至請求項３のいずれかに記載の可変表示装置付遊技機。
　【請求項５】　前記光を発する発光手段は、前記図柄列の後面を照射する発光体であることを特徴とする請求項４記載の可変表示装置付遊技機。」
を、特許請求の範囲の減縮を目的として、
「【特許請求の範囲】
　【請求項１】　
変動中の図柄列の一度の停止により可変表示装置の表示結果を得ることができる
　該遊技機には、前記可変表示装置の変動表示に関する情報を報知する報知手段を設け、
　前記図柄列の停止時に表示される図柄が表示結果として確定される以前の
回転速度の遅い状態での
　【請求項２】　前記報知手段は、光を発する発光手段、又は効果音を発生する音声発生手段のいずれか一方、又は両方であることを特徴とする請求項
１記載
　【請求項３】　前記光を発する発光手段は、前記図柄列の後面を照射する発光体であることを特徴とする請求項
２
と訂正する。
　▲２▼　訂正事項ｂ
　特許明細書における段落【０００１】に係る記載
「　　【０００１】
　【発明の属する技術分野】
　本発明は、図柄列を変動表示可能な可変表示装置を備えた遊技機に関するものである。」
を、明瞭でない記載の釈明を目的として、
「　　【０００１】
　【発明の属する技術分野】
　本発明は、
変動中の図柄列の一度の停止により可変表示装置の表示結果を得ることができる
と訂正する。
　▲３▼　訂正事項ｃ
　特許明細書における段落【０００４】に係る記載
「　　【０００４】
　【課題を解決するための手段】
　上記した目的を達成するために、本発明においては、
　図柄列を変動表示可能な可変表示装置を備えた遊技機において、
　該遊技機には、前記可変表示装置の変動表示に関する情報を報知する報知手段を設け、
　前記図柄列の停止時に表示される図柄が表示結果として確定される以前の変動表示中の段階で、前記可変表示装置に当り図柄が当りライン上に表示されているときと、当り図柄が当りライン上に表示されていないときとで前記報知手段の報知態様を異ならせたことを特徴とするものである。
　また、図柄が表示結果として確定される以前の変動表示中の段階として、例えば、複数の図柄列のうち最後に停止される最終図柄列以外の図柄が確定され最終図柄列の図柄が確定されていない段階であるとすることができる。
　前記報知手段として、例えば、光を発する発光手段、又は効果音を発生する音声発生手段のいずれか一方、又は両方を設ければ良い。」
を、明瞭でない記載の釈明を目的として、
「　　【０００４】
　【課題を解決するための手段】
　上記した目的を達成するために、本発明においては、
　
変動中の図柄列の一度の停止により可変表示装置の表示結果を得ることができる
　該遊技機には、前記可変表示装置の変動表示に関する情報を報知する報知手段を設け、
　前記図柄列の停止時に表示される図柄が表示結果として確定される以前の
回転速度の遅い状態での
　前
と訂正する。
　▲４▼　訂正事項ｄ
　特許明細書における段落【０００５】に係る記載
「　　【０００５】
　図柄列の停止時に表示される図柄が表示結果として確定される以前の変動表示中の段階で、可変表示装置に当り図柄が当りライン上に表示されているときと、当り図柄が当りライン上に表示されていないときとで報知手段の報知態様を異ならせて遊技者に報知される。報知手段が発光手段であるときには、当り図柄が当りライン上に表示されていときと当り図柄が当りライン上に表示されていないときとで光の発光態様が異なり、また、報知手段が音声発生手段であるときには、当り図柄が当りライン上に表示されているときと当り図柄が当りライン上に表示されていないときとで異なる効果音が発生される。つまり、本発明においては、リーチ状態時等の図柄が表示結果として確定されていない状態における変動表示において、従来にない新鮮味を出現させると共に、報知手段による当り図柄の報知により変動表示に対して抑揚感を付与することができる。」
を、明瞭でない記載の釈明を目的として、
「　　【０００５】
　図柄列の停止時に表示される図柄が表示結果として確定される以前の
回転速度の遅い状態での
と訂正する。
　▲５▼　訂正事項ｅ
　特許明細書における段落【００３５】に係る記載
「　　【００３５】
　【発明の効果】
　以上、説明したところから明らかなように、本発明においては、図柄列の停止時に表示される図柄が表示結果として確定される以前の変動表示中の段階で、可変表示装置に当り図柄が当りライン上に表示されているときと、当り図柄が当りライン上に表示されていないときとで報知手段の報知態様を異ならせて遊技者に報知されるので、変動表示において従来にない新鮮味を出現させると共に、変動表示に対して抑揚感を付与することができる。」
を、明瞭でない記載の釈明を目的として、
「　　【００３５】
　【発明の効果】
　以上、説明したところから明らかなように、本発明においては、図柄列の停止時に表示される図柄が表示結果として確定される以前の
回転速度の遅い状態での
と訂正する。
（５４）【発明の名称】
可変表示装置付遊技機
（５７）【特許請求の範囲】
　【請求項１】　
変動中の図柄列の一度の停止により可変表示装置の表示結果を得ることができる
　該遊技機には、前記可変表示装置の変動表示に関する情報を報知する報知手段を設け、
　前記図柄列の停止時に表示される図柄が表示結果として確定される以前の
回転速度の遅い状態での
　【請求項２】　前記報知手段は、光を発する発光手段、又は効果音を発生する音声発生手段のいずれか一方、又は両方であることを特徴とする請求項
１記載
　【請求項３】　前記光を発する発光手段は、前記図柄列の後面を照射する発光体であることを特徴とする請求項
２
【発明の詳細な説明】
　【０００１】
　【発明の属する技術分野】
　本発明は、
変動中の図柄列の一度の停止により可変表示装置の表示結果を得ることができる
　【０００２】
　【従来の技術】
　従来、少なくとも２種類以上の図柄列を変動表示可能な可変表示装置を備えた遊技機、例えば、弾球遊技機又は回胴式遊技機において、最後に停止される最終図柄列の停止前の図柄列に表示されている図柄の組合せが当り図柄の組合せであるとき（一般にリーチ状態といわれている）に、最終図柄列の変動速度を遅くすると共に変動時間長くして、当り図柄が表示される期待感を盛り上げるようにしたものが提供されている。
　【０００３】
　【発明が解決しようとする課題】
　しかし、ほとんどの可変表示装置付遊技機において、上記したような表示制御が行われているので、リーチ状態になったからといって新鮮味がなく、また、リーチ状態時における変動表示において当り図柄以外の図柄が変動表示されているときと当り図柄が変動表示されているときとで区別がないので、リーチ状態時の変動表示に抑揚感がないという問題があった。本発明は、上記した問題点に鑑みなされたもので、その目的とするところは、変動表示に新鮮味を加えると共に抑揚感を与えることができる可変表示装置付遊技機を提供することにある。
　【０００４】
　【課題を解決するための手段】
　上記した目的を達成するために、本発明においては、
　
変動中の図柄列の一度の停止により可変表示装置の表示結果を得ることができる
　該遊技機には、前記可変表示装置の変動表示に関する情報を報知する報知手段を設け、
　前記図柄列の停止時に表示される図柄が表示結果として確定される以前の
回転速度の遅い状態での
　前
　【０００５】
　図柄列の停止時に表示される図柄が表示結果として確定される以前の
回転速度の遅い状態での
　【０００６】
　【発明の実施の態様】
　以下、図面を参照して、本発明の実施態様について説明する。本実施態様においては、遊技機の一例としてパチンコ遊技機に可変表示装置が応用された場合について説明する。そこで、まず、図８を参照してパチンコ遊技機の遊技盤１の構成について説明する。図８において、遊技盤１には、発射された打玉を誘導する誘導レール２が植立され、該誘導レール２に囲まれる範囲が遊技領域３を構成している。遊技領域３のほぼ中央には、本実施態様において要部を構成し且つ特定遊技状態（以下、大当り遊技状態という）を生起せしめる可変表示装置３０が配置され、該可変表示装置３０の下方に大当り遊技状態時に所定の態様で駆動される可変入賞球装置４が配置されている。可変表示装置３０は、後に詳述するように、複数（３つ）の図柄列４９ａ〜４９ｃを変動表示させるドラム機構４０ａ〜４０ｃを有している。
　【０００７】
　また、可変入賞球装置４は、その中央部分にソレノイド６によって開閉駆動される一対の玉受部材５ａ，５ｂを有すると共に、該玉受部材５ａ，５ｂで受け入れられた入賞玉を誘導する入賞領域が複数（３つ）に区画され、その中央が特定入賞口７とされている。また、特定入賞口７の後面壁には、大当り遊技状態時に入賞玉が特定入賞口７に入賞したことを報知するＶ表示ＬＥＤ８が設けられている。また、可変入賞球装置４には、特定入賞口７の下流側に特定入賞玉検出器９が設けられると共に、大当り遊技状態時の１回の開放で玉受部材５ａ，５ｂに受け入れられたすべての入賞玉（ただし、特定入賞口７に入賞した入賞玉を除く）を検出する入賞玉検出器１０ａ，１０ｂが設けられている。この入賞玉検出器１０ａ，１０ｂによって検出された入賞玉数は、玉受部材５ａ，５ｂの上部前面に設けられる１０個の入賞個数表示ＬＥＤ１１によって表示される。
　【０００８】
　なお、可変入賞球装置４が形成される取付基板の両端部に始動入賞口１２ａ，１２ｂが一体的に設けられている。この始動入賞口１２ａ，１２ｂは、始動入賞玉検出器１３ａ，１３ｂを内蔵している。また、遊技領域３には、可変表示装置３０と可変入賞球装置４との間にも始動入賞玉検出器１３ｃを内蔵するもう１つの始動入賞口１２ｃが設けられている。
　【０００９】
　上記した可変表示装置３０と可変入賞球装置４と始動入賞口１２ａ〜１２ｃの関係について説明すると、発射された打玉がいずれかの始動入賞口１２ａ〜１２ｃに入賞して始動入賞玉検出器１３ａ〜１３ｃをＯＮさせると、可変表示装置３０のドラム機構４０ａ〜４０ｃが変動表示を開始する。そして、所定時間（例えば、６秒）経過後にドラム機構４０ａ〜４０ｃが順次停止し、その停止時に表示される図柄の組合せが予め定めた図柄の組合せ（例えば、同じ数字図柄や文字図柄のゾロ目であるとき；以下、当り図柄という）となったときに、大当り遊技状態となる。
　【００１０】
　大当り遊技状態になると、玉受部材５ａ，５ｂが一定時間（例えば、２５秒）経過するまで又はその一定時間内であって玉受部材５ａ，５ｂに受け入れられた入賞玉が所定個数（例えば、１０個）に到達するまで開放する。このような開放を開閉サイクルという。しかして、当該開閉サイクル中に入賞玉が特定入賞口７に入賞して特定入賞玉検出器９をＯＮさせたときには、継続権が発生し、次の開閉サイクルの実行が留保される。そして、このような開閉サイクルの繰り返しは、各開閉サイクルにおいて継続権が成立していることを条件として所定回数（例えば、１６回）許容される。したがって、大当り遊技状態になると、短時間に多量の入賞玉を獲得できるチャンスが与えられることになる。なお、開閉サイクル中に許容される入賞玉の数は、入賞個数検出器１０ａ，１０ｂと特定入賞玉検出器９とによって検出された入賞玉の検出信号の合計に基づいて算出される。
　【００１１】
　また、遊技領域３には、上記した構成以外に、可変表示装置３０の左右側方に入賞口１４ａ，１４ｂが設けられ、可変入賞球装置４の左右上部に風車付入賞口１５ａ，１５ｂが設けられている。これらの入賞口１４ａ，１４ｂ、１５ａ，１５ｂには、変動表示中や大当り遊技状態中等に表示駆動される肩ランプ１６ａ，１６ｂ、袖ランプ１７ａ，１７ｂが内蔵されている。また、この肩ランプ１６ａ，１６ｂ、及び袖ランプ１７ａ，１７ｂと同じ機能と有するものとして、遊技領域３の中央両端部にサイドランプ１８ａ，１８ｂが設けられ、遊技領域３の上部左右にランプ付き風車１９ａ，１９ｂが設けられ、誘導レール２の外側に沿ってレール飾りランプ２１が設けられ、更に、図示しないがパチンコ遊技機の前面上部に遊技効果ランプ２２（図５に符号だけ表示）が設けられている。
　【００１２】
　更に、遊技領域３には、上記したいずれの入賞口又は入賞球装置にも入賞しなかったアウト玉を回収するアウト口２０がその最下方に設けられている。また、図２に示すように、遊技盤１の前面は、２枚のガラス板２３によって覆われていると共に、遊技盤１の裏面には、上記した入賞口や入賞球装置に入賞した入賞玉を所定の径路に沿って流下させる入賞玉集合カバー体２４が止着されている。また、図示しないが、パチンコ遊技機には、上記した可変表示装置３０や可変入賞球装置４の遊技状態に対応して効果音を発生する音声発生手段としてのスピーカ２５が設けられている。
　【００１３】
　次に、本実施態様の要部を構成する可変表示装置３０について図１乃至図４を参照して説明する。可変表示装置３０は、図１に示すように、遊技盤１の前面に取り付けられる取付装飾基板３１と、図２に示すように、遊技盤１の後面側に取り付けられ且つ後述するドラム機構４０ａ〜４０ｃ等を収納するドラム収納箱３９とから構成されている。そこで、まず図１を参照して、取付装飾基板３１について説明すると、取付装飾基板３１の上部には、遊技盤１面を落下する打玉が入賞する入賞口３２が形成され、該入賞口３２の下方に前記大当り遊技状態時における玉受部材５ａ，５ｂの継続回数を表示する開成回数表示ＬＥＤ３３や可変表示装置３０を変動表示できる権利を留保した回数を表示する始動入賞記憶表示ＬＥＤ３４が設けられている。この始動入賞記憶表示ＬＥＤ３４は、変動表示中又は大当り遊技状態中に前記始動入賞口１２ａ〜１２ｃに打玉が入賞したときに最高４個まで記憶した旨を報知するものである。
　【００１４】
　上記した開成回数表示ＬＥＤ３３や始動入賞記憶表示ＬＥＤ３４は、可変表示装置３０の上部を装飾する装飾板３６の前面に臨むように設けられるものであるが、この装飾板３６の下部には、複数の変動表示用ＬＥＤ３５ａ〜３５ｅも設けられている。この変動表示用ＬＥＤ３５ａ〜３５ｅは、後述するリーチ状態時に最終図柄列４９ｃに当り図柄が表示され得る位置に近づきつつあること又は当該位置に来たことを電気的に表示するものである。そして、このような雰囲気を出すため、変動表示用ＬＥＤ３５ａ〜３５ｅは、左右両端から中央に向かって点灯移動するように表示駆動されるようになっている。したがって、変動表示用ＬＥＤ３５ａは、両端部に２つ配置され、以下、変動表示用ＬＥＤ３５ｂ〜３５ｄが２つづつ順に内側に配置され、中央に１つの変動表示用ＬＥＤ３５ｅが配置されている。また、装飾板３６の後面を照射して装飾効果を高めるために、飾りＬＥＤ３７ａ〜３７ｄが前記入賞口３２の左右及び前記開成回数表示ＬＥＤ３３の左右側方に設けられている。
　【００１５】
　また、前記取付装飾基板３１のほぼ中央には、長方形状の透視レンズ部３８が取り付けられ、後述するドラム機構４０ａ〜４０ｃの外周面にそれぞれ形成される図柄列４９ａ〜４９ｃが透視し得るようになっている。具体的には、透視レンズ部３８には、図柄列４９ａ〜４９ｃに表示される全図柄（１８個）のうち、それぞれ３つの図柄を透視することが可能であり、それぞれ３つづつ表示される図柄の中央水平ライン状に同一の数字図柄又は文字図柄（当り図柄）が停止表示されたときに、大当り遊技状態となる。なお、図示の実施態様の場合には、変動開始後、まず、左側に配置される左ドラム機構４０ａが最初に変動停止され、次いで右側に配置される右ドラム機構４０ｂが変動停止され、最後に中央に配置される中ドラム機構４０ｃが変動停止される。したがって、中ドラム機構４０ｃが最終図柄列を構成することになる。
　【００１６】
　次に、図２を参照して、ドラム収納箱３９の内部構造について説明すると、ドラム収納箱３９は、前面が開放した直方体状に形成され、その左側空間に左ドラム機構４０ａが配置され、その右側空間に右ドラム機構４０ｂが配置される。また、左ドラム機構４０ａと右ドラム機構４０ｂとに挟まれるように、中ドラム機構４０ｃが配置されている。
　【００１７】
　ところで、左ドラム機構４０ａ、右ドラム機構４０ｂ及び中ドラム機構４０ｃは、全く同じ構造を有してドラム収納箱３９に収納されている。即ち、各ドラム機構４０ａ〜４０ｃは、ドラム収納箱３９の所定の位置に位置決めして装着されるモータ取付板４２ａ〜４２ｃと、該モータ取付板４２ａ〜４２ｃに止着される駆動モータ４３ａ〜４３ｃ（ステッピングモータ）と、該駆動モータ４３ａ〜４３ｃのモータ軸４４ａ〜４４ｃに固着される円筒状の回転ドラム４１ａ〜４１ｃとから構成されている。
　【００１８】
　更に、モータ取付板４２ａ〜４２ｃの前方には、照射ランプ装置４５ａ〜４５ｃが取り付けられている。この照射ランプ装置４５ａ〜４５ｃは、前面が開放し且つ上下方向に３つに区画されたランプ収容室にそれぞれ上段ドラムランプ４６ａ〜４６ｃ、中段ドラムランプ４７ａ〜４７ｃ、下段ドラムランプ４８ａ〜４８ｃを収納する構造となっている。しかして、各ドラムランプ４６ａ〜４６ｃ、４７ａ〜４７ｃ、４８ａ〜４８ｃは、図１に示すように、前記透視レンズ部３８から透視し得るそれぞれ３つづつの図柄の後面を照射するように構成され、可変表示装置３０が可変表示しているときに点灯するようになっている。なお、ドラムランプ４６ａ〜４６ｃ、４７ａ〜４７ｃ、４８ａ〜４８ｃの照射能力を高めるために、ランプ収容室の内周面は、光を反射し易い色（例えば、白又は金属光沢色）とされており、更に、回転ドラム４１ａ〜４１ｃは、少なくとも外周面が透過性のある材料で形成されている。
　【００１９】
　また、ドラム収納箱３９の後面側には、プリント配線基板５１と端子基板５３とが設けられている。プリント配線基板５１には、各ドラム機構４０ａ〜４０ｃの回転ドラム４１ａ〜４１ｃの外周面に形成される図柄列４９ａ〜４９ｃの適宜の１箇所に形成される後述する無反射部５０ａ〜５０ｃを検出するリセット位置検出器５２ａ〜５２ｃが設けられている。このリセット位置検出器５２ａ〜５２ｃは、反射型のフォトセンサで構成され、各図柄列４９ａ〜４９ｃの外周一部に形成される無反射部５０ａ〜５０ｃを検出することにより、前記駆動モータ４３ａ〜４３ｃのステップ数をリセットし、引いては各ドラム機構４０ａ〜４０ｃの停止位置を任意の図柄で停止制御できるようになっている。また、端子基板５３には、各ドラム機構４０ａ〜４０ｃの駆動モータ４３ａ〜４３ｃ用の配線や照射ランプ装置４５ａ〜４５ｃ用の配線のコネクタ端子を集約して接続する多数の端子群が設けられている。
　【００２０】
　ところで、前記回転ドラム４１ａ〜４１ｃの外周面に形成される図柄列４９ａ〜４９ｃは、図３に示すようになっている。即ち、各図柄列４９ａ〜４９ｃは、複数（１８個）の図柄が均等間隔に描かれた帯状のシールによって構成され、該シールの一側端の下部に無反射部５０ａ〜５０ｃが形成されている。そして、このように形成されたシールを回転ドラム４１ａ〜４１ｃの外周面に貼付することにより図柄列４９ａ〜４９ｃが構成される。また、各図柄列４９ａ〜４９ｃに表示される１８個の図柄には、図柄Ｎｏ「０」〜「１７」が付与されており、シールを回転ドラム４１ａ〜４１ｃの外周面に貼付したときに無反射部５０ａ〜５０ｃの反対側に図柄Ｎｏ「０」の図柄があるようになっている。逆に言えば、無反射部５０ａ〜５０ｃは、図柄Ｎｏ「９」の図柄と同一箇所に形成されることになる。なお、上記した図柄Ｎｏは、ソフト上の図柄データの値と一致するようになっている。例えば、当りのときに表示される図柄データとして「１・０・０」が選択されたときには、その値と同じ図柄Ｎｏの図柄「７・７・７」が透視レンズ部３８の中央水平ライン上に表示されるようになっている。
　【００２１】
　次に、上記した図柄列４９ａ〜４９ｃとステッピングモータで構成される駆動モータ４３ａ〜４３ｃとリセット位置検出器５２ａ〜５２ｃとの関係について図４の概念図を参照して説明する。図４において、駆動モータ４３ａ〜４３ｃは、反時計方向に回転していると共に、２１６ステップのパルス信号によって１回転する。したがって、１つの図柄は、１２ステップ毎に割り振られている。図柄列４９ａ〜４９ｃの無反射部５０ａ〜５０ｃがリセット位置検出器５２ａ〜５２ｃ（反射型フォトセンサと表示）で検出されたときには、正面側の中央には、図柄Ｎｏ「０」の図柄が位置している。また、このとき駆動モータ４３ａ〜４３ｃのステップ数は、リセットされるので「０」となっている。そして、この状態から１２ステップのパルス信号が送られると、正面側の中央には、図柄Ｎｏ「１」の図柄が位置することになる。なお、前記したように、透視レンズ部３８で見える図柄は、３つあるので、図柄Ｎｏ「０」の図柄が正面中央に位置したときには、その上部に図柄Ｎｏ「１」の図柄が見え、その下部に図柄Ｎｏ「１７」の図柄が見えることになる。
　【００２２】
　以上、可変表示装置３０や可変入賞球装置４等の遊技装置を含むパチンコ遊技機の遊技盤１の構成について説明してきたが、それらの遊技装置は、図５に示す遊技制御回路によって制御される。図５は、遊技制御回路をブロック構成で示す回路図であり、ＭＰＵ、ＲＯＭ、ＲＡＭ、入出力回路を含む基本制御回路６０によって制御される。しかして、基本制御回路６０は、検出回路６１を介して特定入賞玉検出器９、始動入賞玉検出器１３ａ〜１３ｃ、入賞玉検出器１０ａ，１０ｂ、リセット位置検出器５２ａ〜５２ｃからの検出信号が入力され、アドレスデコード回路６２から基本制御回路６０にチップセレクト信号が与えられる。また、電源投入時に初期リセット回路６３から基本制御回路６０にリセット信号が与えられ、所定時間毎にクロック用リセットパルス発生回路６４から基本制御回路６０に定期リセット信号が与えられる。
　【００２３】
　一方、基本制御回路６０からは、以下の装置及び回路に制御信号が与えられる。即ち、スピーカ制御回路６５を介してスピーカ２５に音声信号が与えられ、モータ駆動回路６６を介して駆動モータ４３ａ〜４３ｃに駆動パルス信号が与えられる。また、ＬＥＤ制御回路６７を介して入賞個数表示ＬＥＤ１１、開成回数表示ＬＥＤ３３、Ｖ表示ＬＥＤ８、変動表示用の飾りＬＥＤ３５ａ〜３５ｅ、装飾用の飾りＬＥＤ３７ａ〜３７ｄ、及び始動入賞記憶表示ＬＥＤ３４に表示制御信号が与えられ、ランプ制御回路６８を介してドラムランプ４６ａ〜４６ｃ、４７ａ〜４７ｃ、４８ａ〜４８ｃ、風車ランプ１９ａ，１９ｂ、遊技効果ランプ２２、レール飾りランプ２１、袖ランプ１７ａ，１７ｂ、及びサイドランプ１８ａ，１８ｂ、肩ランプ１６ａ，１６ｂに表示制御信号が送られる。なお、図中同一の枠で囲まれたランプは、同期的に駆動表示されるものである。更に、ソレノイド駆動回路６９を介して玉受部材５ａ，５ｂを開閉するソレノイド６に駆動信号を与えている。また、基本制御回路６０からは大当り情報出力回路７０に大当り信号を出力している。なお、上記した装置や回路には、電源回路７１から各種の電圧を有する電力が供給されている。
　【００２４】
　以上、説明した遊技制御回路の具体的な動作のうち、本実施態様の要部に関連する可変表示装置３０の変動表示動作の一例を図６及び図７に示すタイムチャートを参照して説明する。図６は、始動入賞に基づいて左ドラム機構４０ａと右ドラム機構４０ｂとが変動表示して停止し、リーチ状態となるまでを示し、図７は、リーチ状態時における中ドラム機構４０ｃの変動表示を示すものである。なお、図６及び図７において、ＳＴＳＷは、始動入賞玉検出器１３ａ〜１３ｃを表し、ＣＴ４は、始動入賞を記憶する始動入賞カウンタを表し、ＳＰ１〜ＳＰ３は、駆動モータ４３ａ〜４３ｃを表し、ＳＷ１〜ＳＷ３は、リセット位置検出器５２ａ〜５２ｃを表し、ＣＴ１〜ＣＴ３は、駆動モータ４３ａ〜４３ｃのステップ数を計数するステップカウンタを表し、ＬＥＤ１〜ＬＥＤ５は、変動表示用ＬＥＤ３５ａ〜３５ｃを表す。
　【００２５】
　そこで、まず、リーチ状態となるまでの変動表示を図６を参照して説明する。図において、始動信号Ｐ１が導出されると、ＣＴ４の値が一時的に「１」となる。そして、微少時間が経過するとＳＰ１，ＳＰ２が回転を開始し、変動中を表示する効果音Ａがスピーカ２５から発生される。また、図示しないが、ＳＰ３も同時に回転を開始している。なお、ＳＰ１〜ＳＰ３の回転が開始されると同時にＣＴ４の値から１が減算される。
　【００２６】
　ところで、始動信号Ｐ１の導出後、ＳＰ１〜ＳＰ３の回転開始までの間に、透視レンズ部３８の中央水平ライン（以下、当りラインという）に当り図柄の組合せを表示させるか否か、即ち、当りか外れかが決定されると共に、当りラインに表示されるべき図柄も決定される。例えば、当りか外れかを決定するには、電源投入時から刻々と変化している当り外れ決定用ランダム数（例えば、２００通りある）の中から始動信号Ｐ１の導出時に１つの値が選択され、その値が予め定めた値（例えば、２）であるときに当りと判定され、それ以外の値のときに外れと判定される。当りと判定されたときには、刻々と変化している当り図柄表示用ランダム数の中から１つの値が選択され、その選択された値に対応する当り図柄データが記憶される。一方、外れと判定されたときには、刻々と変化している外れ図柄表示用ランダム数の中から１つの値が選択され、その選択された値に対応する外れ図柄データが記憶される。
　【００２７】
　なお、図示の実施態様の場合、始動信号Ｐ１に基づいて当り外れは別にして、少なくとも表示される図柄がリーチ状態となるように図柄データ「１・０・？」が記憶された状態を示している。また、始動信号Ｐ１に基づく変動表示が行われているときに、始動入賞口１２ａ〜１２ｃへの入賞に基づいて導出される始動信号Ｐ２、Ｐ３においても、それぞれの始動信号Ｐ２、Ｐ３が導出されたときに、上記と同様に当り外れの決定が行われると共に、表示される図柄も決定されて所定の記憶部に記憶される。また、始動信号Ｐ２、Ｐ３が導出される毎にＣＴ４の値が１づつ加算される。
　【００２８】
　また、ＳＰ１〜ＳＰ３の回転開始時には、その回転速度が緩やかであり、その後加速して速く回転し、停止する前に再度緩やかになる。例えば、本実施態様において、ＳＰ１〜ＳＰ３の回転開始時は、１ステップ当り８ｍｓ（３４．７２２回転／分）のパルス信号によって回転され、その後徐々に加速して４ｍｓ（６９．４４４回転／分）又は６ｍｓ（４６．２９６回転／分）のパルス信号によって各ＳＰ１〜ＳＰ３毎に異ならせて定速回転させ、また、徐々に減速して停止前には、１０ｍｓ（２７．７７８回転／分）のパルス信号によって回転される。
　【００２９】
　上記のように回転制御されるＳＰ１において、無反射部５０ａがＳＷ１に検出される毎にリセット信号Ｒ１が導出され、ＣＴ１の値を０とする。同様に、ＳＰ２において、無反射部５０ｂがＳＷ２に検出される毎にリセット信号Ｒ２が導出され、ＣＴ２の値を０とする。しかして、回転開始後、一定時間（例えば６秒）が経過した場合に、左の図柄列４９ａに表示される図柄データ「１」に対応するステップ数１２をＣＴ１がカウントしたときに、ＳＰ１の回転が停止され、図柄Ｎｏ「１」に対応する図柄「７」が当りライン上に表示される。更に、ＳＰ１の回転が停止した後、所定の時間が経過した場合に、右の図柄列４９ｂに表示される図柄データ「０」に対応するステップ数０をＣＴ１がカウントしたときに、ＳＰ２の回転が停止され、図柄Ｎｏ「０」に対応する図柄「７」が当りライン上に表示される。そして、左右の図柄列４９ａ，４９ｂに表示される図柄が同一数字の図柄であるので、リーチ状態となり、スピーカ２５から変動中の効果音Ａとは異なる効果音Ｂが発生される。
　【００３０】
　次にリーチ状態となったときの最終図柄列である中図柄列４９ｃの変動表示動作について図７を参照して説明する。図において、リーチ状態になると、ＳＰ３は、最も回転速度の遅い状態で変動表示される。また、中図柄列４９ｃに図柄「７」が表示されたときに当り図柄の組合せとなるので、図柄Ｎｏ「０」が図柄列４９ｃにおける当り図柄となる。そして、図柄列４９ｃにおいて図柄Ｎｏ「０」に対応するステップは、図４及び図７に示すように、ステップ２１０〜ステップ６に対応している。
　【００３１】
　しかして、図柄Ｎｏ「０」より遡って４つ前の図柄Ｎｏ「１４」に対応する図柄が当りライン上に来たときにＬＥＤ１が点灯し、３つ前の図柄Ｎｏ「１５」に対応する図柄が当りライン上に来たときにＬＥＤ２が点灯し、２つ前の図柄Ｎｏ「１６」に対応する図柄が当りライン上に来たときにＬＥＤ３が点灯し、１つ前の図柄Ｎｏ「１７」に対応する図柄が当りライン上に来たときにＬＥＤ４が点灯し、図柄Ｎｏ「０」に対応する当り図柄が当りライン上に来たときにＬＥＤ５が点灯すると共に、効果音Ｃもスピーカ２５から発生される。これによって、単に最終図柄列４９ｃがゆっくりと回転制御されるだけでなく、当り図柄の変動表示に同期してＬＥＤ１〜ＬＥＤ５を点灯移動表示させることによって徐々に当り図柄が近付いて来たことが報知されると共に、当り図柄の変動表示に同期してスピーカ２５から効果音を発生させることによって当り図柄が当りライン上に表示されたことが報知される。したがって、リーチ状態時における変動表示に対して抑揚感を付与することができる。なお、上記した動作は、当り図柄が当りラインに近づく毎に繰り返し行われる。また、上記した効果音Ｃは、音、音楽、声のいずれであっても良い。
　【００３２】
　なお、上記した実施態様では、ＬＥＤ１〜ＬＥＤ５の点灯時間を１つの図柄が変動表示される１２ステップ分だけとしたが、それよりも長い時間点灯させて移動するようにしても良い。また、スピーカ２５の効果音Ｃを当り図柄が当りライン上に来たときだけでなく、当りラインに近づく様子を効果音で発生させても良い。また、ＬＥＤ１〜ＬＥＤ５による接近状態の報知に代えて又は加えてドラムランプ４６ａ〜４６ｃ、４７ａ〜４７ｃ、４８ａ〜４８ｃを点灯移動させることによって行っても良い。
　【００３３】
　以上、実施態様に係る可変表示装置３０の構成及び作用について説明して来たが、本実施態様によれば、リーチ状態となったときに、最終図柄列４９ｃの変動表示において、当りライン上で当り図柄が一致したときにＬＥＤ５によって光が発光され、また、スピーカ２５によって効果音Ｃが発生され、当りライン上で当り図柄が一致していないときにＬＥＤ１〜４が消灯又は点灯移動し、また、スピーカ２５によって効果音Ｂが発生されるので、リーチ状態時における変動表示において従来にない新鮮味を出現させると共に、リーチ状態時における変動表示に対して抑揚感を付与することができる。
　【００３４】
　なお、上記した実施態様においては、可変表示装置として回転ドラム機構を備えたものを示したが、電気的可変表示装置（例えば、ＬＥＤやＬＣＤ等）であっても良い。また、上記した実施態様では、可変表示装置が適用される遊技機としてパチンコ遊技機を示したが、回胴式遊技機やアレンジ式遊技機であっても良い。更に、上記した実施態様においては、変動表示される図柄列が２以上ある可変表示装置としたが、例えば、１つの図柄列だけで変動表示するものに対しても本発明の技術思想を応用して当り図柄の変動表示に対して抑揚感や新鮮味を与えることができる。
　【００３５】
　【発明の効果】
　以上、説明したところから明らかなように、本発明においては、図柄列の停止時に表示される図柄が表示結果として確定される以前の
回転速度の遅い状態での
【図面の簡単な説明】
　【図１】
　実施態様に係る可変表示装置の正面図である。
　【図２】
　可変表示装置の横方向に切断した断面図である。
　【図３】
　可変表示装置に形成される図柄列を示す展開図である。
　【図４】
　図柄列と駆動モータとリセット位置検出器との関係を示す概念図である。
　【図５】
　遊技動作を制御する遊技制御回路を示すブロック図である。
　【図６】
　始動入賞に基づいてリーチ状態となるまでの図柄列の変動表示を示すタイムチャートである。
　【図７】
　リーチ状態時における最終図柄列の変動表示を示すタイムチャートである。
　【図８】
　実施態様に係る可変表示装置が適用される遊技機の一例としてのパチンコ遊技機の遊技盤の正面図である。
　【符号の説明】
　２５　スピーカ（音声発生手段）
　３０　可変表示装置
　３５ａ〜３５ｅ　変動表示用ＬＥＤ（発光手段）
　４９ａ〜４９ｃ　図柄列